(57)【要約】      （修正有）【課題】不要の新聞紙等を容易に紐で結束して廃棄できる新聞ストッカーを提供する。【解決手段】第一枠体１０、第二枠体２０、第三枠体３０及び第四枠体４０、並びに固定具５０からなり、第１枠体は長尺板状の連結具１２と鞘形状の固定具挿入部材１１を備え、第二枠体は鞘形状の連結具挿入部材２２と鞘形状の固定具挿入部材２１を備え、第三枠体は長尺板状の連結具３２と鞘形状の固定具挿入部材３１を備え、第四枠体は連結具挿入部材４２と鞘形状の固定具挿入部材４１を備える。第一枠体と第二枠体は第一枠体の備える連結具を第二枠体の備える連結具挿入部材に挿入連結され、第三枠体と第四枠体は第三枠体の連結具を第四枠体の連結具挿入部材に挿入連結され、第一枠体と第三枠体は固定具が固定具挿入部材の各々に連通して挿入固定され、第二枠体と第四枠体は固定具が固定具挿入部材の各々に連通して挿入固定され、一体となって構成される。【選択図】図１
0003169857.tif 000002
【実用新案登録請求の範囲】
【請求項１】
各々が底面、縦面及び横面の３面で構成される第一枠体、第二枠体、第三枠体及び第四枠体、並びに複数の固定具からなる新聞ストッカーであって、
上記第一枠体は、底面に長尺板状の連結具と鞘形状の固定具挿入部材とを備え、
上記第二枠体は、底面に鞘形状の連結具挿入部材と鞘形状の固定具挿入部材とを備え、
上記第三枠体は、底面に長尺板状の連結具と鞘形状の固定具挿入部材とを備え、
上記第四枠体は、底面に鞘形状の連結具挿入部材と鞘形状の固定具挿入部材とを備え、
上記第一枠体と上記第二枠体は、上記第一枠体の備える上記連結具を上記第二枠体の備える上記連結具挿入部材に挿入して連結され、
上記第三枠体と上記第四枠体は、上記第三枠体の備える上記連結具を上記第四枠体の備える上記連結具挿入部材に挿入して連結され、
上記第一枠体と上記第三枠体は、上記複数の固定具の一本が上記第一枠体の備える固定具挿入部材及び上記第三枠体の備える固定具挿入部材の各々に連通して挿入し固定され、
上記第二枠体と上記第四枠体は、上記複数の固定具の他の一本が上記第二枠体の備える固定具挿入部材及び上記第三枠体の備える固定具挿入部材の各々に連通して挿入し固定され、
一体となって構成されることを特徴とする新聞ストッカー。
【請求項２】
上記第一枠体、上記第二枠体、上記第三枠体及び上記第四枠体の材質は、金属、紙、樹脂、エラストマー及びゴムのうちから選ばれるいずれか１種である請求項１に記載の新聞ストッカー。
【請求項３】
上記第一枠体、上記第二枠体、上記第三枠体及び上記第四枠体は、格子状に組まれた金属製丸棒からなる請求項２に記載の新聞ストッカー。
【考案の詳細な説明】
【技術分野】
【０００１】
この考案は新聞紙、雑誌等を収納するための新聞ストッカーである。詳しくは、新聞ストッカーに新聞紙等を収納した後、不必要になった新聞紙等を容易に紐で結束して廃棄することができる新聞ストッカーに関する。
【背景技術】
【０００２】
新聞紙、雑誌などストッカーは満杯になると、一度ストッカーより取り出して、改めて形を整え崩れないよう注意しながら紐等で結束して廃棄している為、面倒な作業であり、特に体力の少ないひとにおいては負担の大きい作業である。
【０００３】
この作業の困難性を解決するために、新聞、雑誌等を収納したまま、紐で結束して廃棄処分できるストッカーが下記特許文献等に開示されている。しかし、これらの新聞ストッカーは構造が複雑で作製が困難であり、取り扱いが難しい等の理由により、一般家庭に普及しているとは言い難い。
【０００４】
そこで、本願考案者はこれらの課題を解決するために、作製及び取扱いが容易であって、実用的に信頼性があり、且つ美的外観が優れている新聞ストッカーの創作に至った。
【先行技術文献】
【特許文献】
【０００５】
【特許文献１】特開平１０−２３６４２６号公報
【特許文献２】特開２０００−２５５５２５号公報
【特許文献３】特開２００６−１９３２１１号公報
【特許文献４】実開平６−４４７０９号公報
【考案の概要】
【考案が解決しようとする課題】
【０００６】
本願考案は新聞紙、雑誌等を収納するための新聞ストッカーであって、不要になった新聞紙、雑誌等を容易に紐で結束して廃棄できる新聞ストッカーを提供する。本新聞ストッカーは、美的外観に優れ一般家庭においても利用できる。
【課題を解決するための手段】
【０００７】
本願考案である新聞ストッカーとは、新聞紙を収納するのみならず、雑誌、チラシ等の古紙類全般を収納する収納容器のことをいう。
本考案は第一枠体、第二枠体、第三枠体及び第四枠体を複数の固定具（通常は２本）を用いて組立てる。この新聞ストッカーが新聞、雑誌等の新聞でいっぱいになったときは、新聞ストッカーの上から結束紐で新聞を結束した後に、これらの第一枠体から第四枠体の枠体を分解すると、新聞等のみが単独で結束された状態となる。作業者はこの結束された新聞等をそのまま廃棄することが可能であり、新聞紙等の廃棄作業は大幅に簡略化される。また、新聞紙廃棄作業が済んだ際には上述の第一枠体から第四枠体を組合わせてこの新聞ストッカーを組立てる。
【０００８】
上記第一枠体は、底面、縦面及び横面の３面で構成され、底面に長尺板状の連結具と鞘形状の固定具挿入部材とを備え、
上記第二枠体は、底面、縦面及び横面の３面で構成され、底面に鞘形状の連結具挿入部材と鞘形状の固定具挿入部材とを備え、
上記第三枠体は、底面、縦面及び横面の３面で構成され、底面に長尺板状の連結具と鞘形状の固定具挿入部材とを備え、
上記第四枠体は、底面、縦面及び横面の３面で構成され底面に連結具挿入部材と鞘形状の固定具挿入部材とを備える。
【０００９】
本願新聞ストッカーの各枠体の組立ては、下記作業による。
１．第一枠体と第二枠体を、第一枠体の備える連結具を第二枠体の備える連結具挿入部材に挿入して連結する作業。
２．第三枠体と第四枠体を、第三枠体の備える連結具を第四枠体の備える上記連結具挿入部材に挿入して連結する作業。
３．連結された第一枠体と上記第三枠体を、上記固定具が上記第一枠体の備える固定具挿入部材及び上記第三枠体の備える固定具挿入部材の各々に連通して挿入固定する作業。
４．連結された第二枠体と第四枠体を、固定具が第二枠体の備える固定具挿入部材及び第三枠体の備える固定具挿入部材の各々に連通して挿入し固定する作業。
この作業は上述の順と異なった順に行うこともできる。
【００１０】
この組立て完了した本願新聞ストッカーに新聞紙、雑誌、古紙等をストックする。この新聞ストッカーがいっぱいになったときに、紐で新聞ストッカーのうえから新聞紙等を結束する。紐で結束された新聞紙等は、上記枠体を分解することにより、そのまま廃棄できる。
【００１１】
これらの枠体の材質は、金属、紙、樹脂、エラストマー及びゴムのいずれか１種又はこれらの組合せたものを用いる。これらの材質を使用した場合は、本新聞ストッカーの作製が容易であり、価格、美的外観等の観点からも好ましい。
【００１２】
これらの材質のうちで金属が好ましく用いられる。特に格子状に組み立てられた金属製丸棒が好ましく用いられる。この金属丸棒の材質は、ステンレス、鉄等を使用する。これの金属を用いる場合は、溶接、蝋付け等により容易に作製が可能であり、堅牢、美的外観に優れる。
【考案の効果】
【００１３】
本願新聞ストッカーは取扱いが容易であり、新聞紙等の廃棄物を容易に結束して廃棄でき、作製容易、堅牢、低コスト及び美的外観に優れる。
【００１４】
本願新聞ストッカーを構成する枠体の材質が金属、紙、樹脂、エラストマー及びゴムの内のいずれか、または、これらの組合せである場合は、作製容易、価格、美的外観等を考慮して自由に選択できる。
【００１５】
また、枠体の材質が金属であって、格子形状の丸棒である場合は堅牢であり、且つ溶接等で容易に作製が可能であり、美的外観に優れる。
【図面の簡単な説明】
【００１６】
【図１】本願考案の新聞ストッカーの斜視図である。
【図２】本願考案の新聞ストカーの分解組立て説明図である。
【図３】本願考案の新聞ストッカーを構成する第一枠体と第二枠体を組立てるときの一部を端面で表した説明図である。
【図４】本願考案の新聞ストッカーを構成する第二枠体と第四枠体を組立てるときの一部を端面で表した説明図である。
【図５】本願考案の新聞ストッカーに新聞紙を収納した状態を示す説明図である。
【図６】本願考案の新聞ストッカーに収納した新聞を紐で結束した状態を示す説明図である。
【図７】結束した紐と連結具及び固定具の関係を説明する図面である。
【図８】結束した新聞紙を取り出した状態を示す説明図である。
【考案を実施するための形態】
【００１７】
以下、本願考案を実施するための形態を図に基づいて詳細に説明する。これらの図中の記号（または番号）は、共通する部材の場合は省略している。また、図中において部材が明瞭である場合も省略している。これらの図は本願考案を説明するために模式的に描かれたものであり、本願考案がこれらの図に拘束されるものではない。また、これらの図は実施例に基づくものであり、後述の実施例において重複して説明される場合がある。
【００１８】
図１は本新聞ストッカー１の斜視図である。
本願考案の新聞ストッカー１は、各々が底面、縦面及び横面の３面で構成される第一枠体１０、第二枠体２０、第三枠体３０及び第四枠体４０、並びに２本の固定具５０からなる。
【００１９】
この枠体の材質は特に限定されることなく金属の他に、紙、樹脂、エラストマー及びゴムが好ましく使用される。又はこれらの組合わせが用いられる。これらの材質からなる枠体は、作製が容易であり、作製費用、意匠等の観点から選択自由度が大きい。
【００２０】
これらの材質のうちで特に格子状に組んだ金属丸棒が特に好ましい。溶接等で容易に作製できるためである。また、金属ではステンレス及び鉄が好ましく用いられる。ステンレスは堅牢であって、美的外観に優れる。鉄は堅牢であって、安価に作製される。
【００２１】
固定具５０は第一枠体１０と第三枠体３０及び第二枠体２０と第四枠体４０を固定する。この固定具５０は、複数本使用されるが、通常は２本使用する。第一枠体１０と第三枠体３０及び第二枠体２０と第四枠体４０を固定できれば、形状および構造は限定されないが、通常は長尺板状（図２参照）を用いる。長尺板状の固定具５０は、第三枠体３０が備える固定具挿入部材３１を貫通して第一枠体１０の固定具の備える挿入部材１１に挿入される。
同様に第四枠体４０が備える固定具挿入部材４１を貫通して第二枠体２０の備える挿入部材２１に挿入される。
【００２２】
図２は本新聞ストッカーの分解組立図である。
第一枠体１０は、底面１０１、縦面１０２、横面１０３からなり、底面１０１に長尺板状の連結具１２と鞘形状の固定具挿入部材１１とを備える。
第二枠体２０は、底面２０１、縦面２０２、横面２０３からなり、底面２０１に鞘形状の連結具挿入部材２２と鞘形状の固定具挿入部材２１とを備える。
第三枠体３０は、底面３０１、縦面３０２、横面３０３からなり、底面３０１に長尺板状の連結具３２と鞘形状の固定具挿入部材３１とを備え、
第四枠体４０は、底面４０１、縦面４０２、横面４０３からなり、底面４０１に連結具挿入部材４２と鞘形状の固定具挿入部材４１とを備える。
【００２３】
上述の連結具１２、３２の形状は長尺の板状であり、後述する連結具挿入部材に挿入可能であれば特に詳細な構造は問われない。この連結具の材質は、金属、紙、樹脂、エラストマー、ゴム等又はこれらの組合せが使用される。この連結具の枠体への取付けの方法は特に限定しないが溶接、蝋付け、接着、ビス等で行う。例えば、枠体が紙であり、連結具が金属又は樹脂である場合は接着等で行うことができる。
【００２４】
上述の連結具挿入部材２２及び４２の形状は鞘形状である。鞘形状とは四面又は五面で形成される長尺の筒状のものをいい、上述の長尺板状の連結具１２及び３２が収納可能な形状を言う。この材質は特に限定はない。上述の連結具の材質がそのまま適用できる。この連結具挿入部材２２及び４２の第一枠体１０及び第三枠体３０への取付けも上述の取付け方法がそのまま適用できる。
【００２５】
固定具挿入部材１１、２１、３１及び４１は上述の固定具５０が挿入される。固定具挿入部材３１及び４１は固定具５０が貫通して固定具挿入部材１１及び２１に挿入される。この固定具挿入部材３１及び４１は鞘形状であって、四面又は五面で形成される長尺の筒状のものをいい上述の固定具５０が挿入可能であればその構成は限定されない。材質及び枠体への取付け方法は上記連結具及び連結具挿入部材のものがそのまま適用できる。
【実施例】
【００２６】
［枠体］
本実施例は、第一枠体１０から第四枠体４０のすべての枠体は格子状に組まれたステンレス製丸棒を使用した。枠体は市販の格子状に組まれたステンレス製丸棒を切断して底面、縦面、横面を溶接して作製した。図中の台１３，２３，３３および４４は、本新聞ストッカー１の安定性を図るものである。
【００２７】
［固定具］
図４（ａ）に示すように、固定具５０は、ステンレス製帯板を所定の寸法に切断して、固定具挿入部１１、２１、３１及び４１に容易に挿入できるように先端部にアールをつけた。また、後端部には分解時に容易に固定具５０を固定具挿入部１１、２１、３１及び４１から抜き出し容易とするために取手５１を設けた。更に、図４（ｂ）に示すように、この取手５１は、挿入量を限定するためのストッパーの作用もする。
【００２８】
［連結具］
図３は、本願考案の新聞ストッカー１を構成する第一枠体１０と第二枠体２０を組立てるときの一部を端面で表した説明図である。
図３（ａ）は、連結具を取付けた第一枠体１０と第二枠体２０の関係を示す正面図である。連結具１２はステンレス製帯板を切断成形したものである。
図３（ｂ）は、枠体１０及び枠体２０の側面図である。連結具１２は第一枠体１０を構成する格子状に組立てた金属丸棒Ｓの間に溶接により取付けられる。
図３（ｃ）は、第一枠体１０の連結具１２を第二枠体２０の連結具挿入部材２２に挿入した状態を示す説明図である。
【００２９】
［連結具挿入部材］
連結具挿入部材２２（連結具挿入部材４２も同様）は、切断成形したステンレス製の帯板２２ａを図３（ａ）及び図３（ｂ）に示すように金属丸棒Ｓの下に２本の金属丸棒Ｓに掛渡して溶接で取付けた。鞘形状を５面で形成し、１面が帯板２２ａ、３面が金属丸棒Ｓで構成し、他の一面はストッパーとし、連結具１２の所定量を収納可能とした。図３（ｃ）は、第一枠体１０の連結具１２を第二枠体２０の連結具挿入部材２２に挿入した状態を示す説明図である。第一枠体１０と第二枠体２０は距離を設けて連結される。
【００３０】
［固定具挿入部材］
固定具挿入部材は、例として枠体２０に取付ける場合を説明する。切断成形したステンレス製の帯板２１ａを図３（ａ）及び図３（ｂ）に示すように金属丸棒Ｓの上に２本の金属丸棒Ｓに掛渡して溶接で取付けた。鞘形状は１面の帯板２１ａと、３面の金属丸棒Ｓの４面で構成し、固定具５０を収納可能とした。
図４（ａ）は、固定具５０を第二枠体２０と第四枠体４０の固定具挿入部材２１及び４１に挿入して、第二枠体２０と第四枠体４０を固定する前の状態を説明するための側面図である。第四枠体４０の備える固定具挿入部材４１は、固定具５０を貫通して第二枠体２０の備える固定具挿入部材２１に挿入して固定する。
図４（ｂ）第二枠体２０と第四枠体４０を固定具５０で固定・組立てした後の説明図である。固定具５０の挿入量は取手５１で制限され、第二枠体２０と第四枠体４０は距離を設けて固定・組立てられる。
【００３１】
図１は上述の本実施例の組立て完了後の斜視図である。
図５は本実施例の新聞ストッカーに新聞紙等と満杯に収納したときの説明図である。
図６は、紐掛した状態を示す説明図である。
図７は、結束した紐と連結具及び固定具の関係を説明する図面である。図７（ａ）は、紐掛け用の紐が連結具３２の下を通って紐掛けされている状態を示す。図７（ｂ）は紐掛け用の紐７０が固定具５０の下を通って紐掛けされている状態を示す。これらの図７から連結具３２（及び１２）を引き抜き、更に、（日本の）固定具５０を引き抜けば新聞紙を結束した状態で本実施例の新聞ストッカー１は分解が可能であることを示す。
図８は、結束した新聞紙を取り出した状態を示す説明図である。
【符号の説明】
【００３２】
１          本願新聞ストッカー
１０        第一枠体
１１        固定具挿入部
１２        連結具
１３        台
２０        第二枠体
２１        固定具挿入部
２２        連結具
２３        台
３０        第三枠体
３１        固定具挿入部
３２        連結具挿入部
３３        台
４０        第四枠体
４１        固定具挿入部
４２        連結具挿入部
４３        台
５０        固定具
６０        新聞
７０        紐
【図１】
0003169857.tif 000003
【図２】
0003169857.tif 000004
【図３】
0003169857.tif 000005
【図４】
0003169857.tif 000006
【図５】
0003169857.tif 000007
【図６】
0003169857.tif 000008
【図７】
0003169857.tif 000009
【図８】
0003169857.tif 000010